(57)【要約】【課題】コンピュータのログファイルに保存されたログ情報をユーザが簡単な操作により所望する形態に整形して表示させることができるようにする。【解決手段】コンピュータの処理履歴等を残すログファイルに保存されたログ情報を表示部に表示させることと、ログ情報に含まれる文字と当該文字を含むログ情報に対する編集内容とを設定することと、表示部に表示されたログ情報の中からログ編集情報設定手段により設定された文字を含むログ情報を抽出し、当該文字に対して設定された編集内容で抽出したログ情報を編集することと、表示部に表示されているログ情報を表示ログ情報編集手段により編集された内容に変更することを備えた。【選択図】      図３
2005165456.tif 000002
【特許請求の範囲】
【請求項１】
コンピュータの処理履歴等を残すログファイルに保存されたログ情報を表示部に表示させるログ情報表示手段と、
ログ情報に含まれる文字と当該文字を含むログ情報に対する編集内容とを設定するログ編集情報設定手段と、
前記ログ情報表示手段により前記表示部に表示されたログ情報の中から前記ログ編集情報設定手段により設定された文字を含むログ情報を抽出し、当該文字に対して設定された編集内容で抽出したログ情報を編集する表示ログ情報編集手段と、
前記表示部に表示されているログ情報を前記表示ログ情報編集手段により編集された内容に変更するログ表示変更手段と、
を具備したことを特徴とする表示ログ整形装置。
【請求項２】
ログ編集情報設定手段は、ログ情報に含まれる文字の一覧の中から編集対象の文字を選択する手段と、ログ情報の編集内容を選択する手段とを含み、選択された文字を含むログ情報に対して選択された編集内容を設定することを特徴とする請求項１記載の表示ログ整形装置。
【請求項３】
ログ編集情報設定手段は、ログ情報に含まれる文字の一覧を作成する手段をさらに含むことを特徴とする請求項２記載の表示ログ整形装置。
【請求項４】
ログファイルに保存された処理履歴等のログ情報の表示機能を有したコンピュータに、
ログ情報に含まれる文字と当該文字を含むログ情報に対する編集内容とを設定する第１の手順と、
表示されているログ情報の中から前記第１の手順によって設定された文字を含むログ情報を抽出し、当該文字に対して設定された編集内容で抽出したログ情報を編集する第２の手順と、
表示されているログ情報を前記第２の手順により編集された内容に変更させる第３の手順とを実行させるための表示ログ整形プログラム。
【発明の詳細な説明】
【技術分野】
【０００１】
本発明は、ログファイルに保存されたログ情報の表示機能を有したコンピュータに搭載される表示ログ整形装置、及び、当該コンピュータ上で実行される表示ログ整形プログラムに関する。
【背景技術】
【０００２】
コンピュータを利用したシステムでは、一般に、コンピュータの処理履歴やユーザの操作履歴等のログ情報をログファイルに蓄積保存している。そしてコンピュータ管理者等が、必要に応じてログファイルに保存されたログ情報を表示又は印字出力させて確認することにより、エラーの解析等に役立てていることは既に知られている。
【０００３】
これに関連して、従来、ログファイルの中からデータベースに登録されたキーワードや種別情報等の条件に該当するログ情報のみを抽出し、指定された通知先に通知するようにして、ユーザが必要なログ情報のみを参照できるようにしたログ情報解析装置が提案されていた（例えば、特許文献１参照）。
【特許文献１】特開平８−３１４７６３号公報
【発明の開示】
【発明が解決しようとする課題】
【０００４】
しかしながら従来のログ情報解析装置においては、ユーザに通知されるログ情報は、データベースに登録されたキーワードや種別情報等の条件に該当するログ情報に限られていた。このため、ユーザがログファイルに保存されている全てのログ情報を画面上で確認し、その中から必要なログ情報を画面に残したり不要なログ情報を画面から削除したりして、ユーザが所望する形態にログ情報の出力画面を整形することはできなかった。
【０００５】
本発明はこのような事情に基づいてなされたもので、その目的とするところは、コンピュータのログファイルに保存されたログ情報をユーザが所望する形態に整形して表示させることができ、汎用性に富んだ表示ログ整形装置を提供しようとするものである。
【０００６】
また本発明は、ログファイルに保存されたログ情報の表示機能を有したコンピュータに、表示されているログ情報をユーザが所望する形態に整形することを実現させた表示ログ整形プログラムを提供しようとするものである。
【課題を解決するための手段】
【０００７】
本発明の表示ログ整形装置は、コンピュータの処理履歴等を残すログファイルに保存されたログ情報を表示部に表示させるログ情報表示手段と、ログ情報に含まれる文字と当該文字を含むログ情報に対する編集内容とを設定するログ編集情報設定手段と、表示部に表示されたログ情報の中からログ編集情報設定手段により設定された文字を含むログ情報を抽出し、当該文字に対して設定された編集内容で抽出したログ情報を編集する表示ログ情報編集手段と、表示部に表示されているログ情報を表示ログ情報編集手段により編集された内容に変更するログ表示変更手段とを備えたものである。
【０００８】
また、本発明の表示ログ整形プログラムは、ログファイルに保存された処理履歴等のログ情報の表示機能を有したコンピュータに、ログ情報に含まれる文字と当該文字を含むログ情報に対する編集内容とを設定する第１の手順と、表示されているログ情報の中から第１の手順によって設定された文字を含むログ情報を抽出し、当該文字に対して設定された編集内容で抽出したログ情報を編集する第２の手順と、表示されているログ情報を第２の手順により編集された内容に変更する第３の手順とを実行させるものである。
【発明の効果】
【０００９】
かかる手段を講じた本発明の表示ログ整形装置によれば、コンピュータのログファイルに保存されたログ情報をユーザが簡単な操作により所望する形態に整形して表示させることができるようになる。
【００１０】
また、本発明の表示ログ整形プログラムによれば、ログファイルに保存されたログ情報の表示機能を有したコンピュータに、表示されているログ情報をユーザが簡単な操作により所望する形態に整形することを実現させることができるようになる。
【発明を実施するための最良の形態】
【００１１】
以下、本発明を実施するための最良な形態を、図面を用いて説明する。  
なお、この実施の形態は本発明に係わる表示ログ整形装置をコンピュータ端末に搭載した場合である。
【００１２】
図１は本実施の形態におけるコンピュータ端末の要部構成を示すブロック図である。このコンピュータ端末は、制御部本体を構成するＣＰＵ１、ブートプログラム等の固定的データが予め格納されたＲＯＭ２、各種データを書換自在に記憶するための領域が確保されたＲＡＭ３、内蔵されたハードディスクに対してデータの書込み及び読出しを行うハードディスクドライブ４、ＣＤ−Ｒ，ＣＤ−ＲＷ，フレキシブルディスク等の外付ディスクに対してデータの読取り／書込みを行う外付ディスクドライブ５、現在の日付及び時刻を計時する時計部６、操作入力部を構成するキーボード７からのキー信号を入力するキーボードコントローラ８、表示部を構成するディスプレイ９を制御して、表示データに対応するウィンドゥ等を画面に表示させる表示コントローラ１０、操作入力部を構成するマウス１１からの入力信号を処理するマウスコントローラ１１、ＬＡＮ等のネットワークを介して接続されたサーバや他のコンピュータ端末との間でデータを授受する通信インターフェイス１３等で構成されている。
【００１３】
ＣＰＵ１と、ＲＯＭ２，ＲＡＭ３，ハードディスクドライブ４，外付ディスクドライブ５，時計部６，キーボードコントローラ８，表示コントローラ１０，マウスコントローラ１２及び通信インターフェイス１３とは、アドレスバス，データバス等のバスライン１４で接続されている。
【００１４】
かかる構成のコンピュータ端末は、特に、ハードディスクドライブ４によってアクセス可能なハードディスクに、ログファイル２１とプログラムファイル２２とが形成されている。ログファイル２１は、当該コンピュータ端末の処理履歴やユーザの操作履歴やネットワークの通信履歴等の種々のログ情報を蓄積保存するための領域である。プログラムファイル２２は、当該コンピュータ端末の基本動作を司るＯＳ（オペレーティング・システム）の他、種々のアプリケーションソフトウェアを保管するための領域である。本実施の形態では、特に、ログ保存プログラム３１、ログ表示プログラム３２及び表示ログ整形プログラム３３が、プログラムファイル２２に保管されている。
【００１５】
なお、これらのプログラム３１，３２，３３は、それぞれ外付ディスクに記憶され、外付ディスクドライブ５を介してプログラムファイル２２にインストールされてもよいし、通信インターフェイス１３に接続されたネットワークを介して配信され、プログラムファイル２２にインストールされてもよい。
【００１６】
ログ保存プログラム３１は、ログ情報として残すように設定された事象が当該コンピュータ端末に発生するのを監視し、該当する事象が発生したならば、時計部６で計時されている現在時刻をログ発生時刻としてログ情報を生成し、ログファイル２１に順次書込む処理を、当該コンピュータ端末に実現させるものである。
【００１７】
ログ表示プログラム３２は、ログファイル２１に保存されたログ情報を表示部であるディスプレイ９に表示させる処理を、当該コンピュータ端末に実現させるものである。
【００１８】
このログ表示プログラム３２の具体的な処理手順を図２の流れ図を用いて説明する。当該コンピュータ端末は、キーボード７またはマウス１１の操作によってログ表示プログラムの起動が指令されるか、若しくは、時計部６によって計時されている日時が予め設定されたログ表示プログラム実行スケジュールの起動時間に到達した場合、ログ表示プログラム３２を起動させる。
【００１９】
ログ表示プログラム３２が起動すると、ＣＰＵ１は、先ず、ログファイル２１に保存されている全てのログ情報を読込み、取得する（ＳＴ１）。次に、ＣＰＵ１は、ディスプレイ９に所定のログビューワウィンドゥを開く。そして、このウィンドゥ内にログファイル２１から取得したログ情報を、例えば保存日時の古い順番に表示させる（ＳＴ２：ログ情報表示手段）。
【００２０】
次に、ＣＰＵ１は、ログビューワウィンドゥのクローズが指令されるか（ＳＴ３）、後述する表示ログ整形プログラム３３から整形後のログ情報を受取るのを待機する（ＳＴ４）。表示ログ整形プログラム３３から整形後のログ情報を受取った場合には、ログビューワウィンドゥの内容を整形後のログ情報に更新する（ＳＴ５）。キーボード７またはマウス１１の操作によってクローズが指令された場合には、ログビューワウィンドゥを閉じる（ＳＴ６）。これにより、ログ表示プログラム３２は終了する。
【００２１】
表示ログ整形プログラム３３は、ログ情報に含まれる文字とその文字を含むログ情報に対する編集内容とを設定する第１の手順と、表示されているログ情報の中から第１の手順によって設定された文字を含むログ情報を抽出し、当該文字に対して設定された内容で編集する第２の手順と、表示されているログ情報を第２の手順により編集した内容に変更する第３の手順とを、当該コンピュータ端末に実行させるものである。
【００２２】
この表示ログ整形プログラム３３の具体的な処理手順を図３乃至図６の流れ図を用いて説明する。当該コンピュータ端末は、前記ログ表示プログラム３２の起動中において、キーボード７またはマウス１１の操作により表示ログ整形プログラム３３の起動が指令されると、表示ログ整形プログラム３３を起動させる。
【００２３】
表示ログ整形プログラム３３が起動すると、ＣＰＵ１は、先ず、ＲＡＭ３の所定領域に形成されている編集文字メモリから編集対象の文字（例えば、“ＥＲＲ”，“ＮＲＭ“，“開局“，“操作”等のログ情報に含まれる文字）及びその編集範囲（例えば、該当文字を含む１行，該当文字を含む下３行等）からなる編集文字データを読込み、編集文字リストを作成する（ＳＴ１１）。そして、ディスプレイ９にログ整形設定ウィンドゥを開き、ウィンドゥ内に編集文字リストを表示させる（ＳＴ１２）。
【００２４】
ログ整形設定ウィンドゥの一例を、図７に符号４０を付して示す。ログ整形設定ウィンドゥ４０には、編集文字表示欄４１と、編集内容表示欄４２と、設定内容表示欄４３とが形成されている。また、マウス１１等の操作によって入力可能な追加ボタン４４，削除ボタン４５，登録ボタン４６及び書換ボタン４７の各種ソフトボタンが配置されている。初期画面として、編集文字表示欄４１には、作成された編集文字リストが表示される。編集内容表示欄４２には、予め設定された編集項目（例えば「残す」，「スペース化」，「削除」等）の中からデフォルトとして設定された項目（例えば「残す」）が表示される。設定内容表示欄４３は空欄である。
【００２５】
この状態で、ＣＰＵ１は、ログ整形設定ウィンドゥ４０の各種ソフトボタン４４〜４７が入力されるか（ＳＴ１３〜ＳＴ１６）、ログ整形設定ウィンドゥ４０のクローズが指令されるのを待機する（ＳＴ１７）。ここで、追加ボタン４４が入力された場合には、ＣＰＵ１は、図４の流れ図に具体的に示す編集文字追加処理を実行する。すなわちＣＰＵ１は、ディスプレイ９に編集対象の文字及びその編集範囲の追加入力を受付けるための編集文字追加ウィンドゥを開く（ＳＴ３１）。
【００２６】
編集文字追加ウィンドゥの一例を、図８に符号５０を付して示す。編集文字追加ウィンドゥ５０には、文字入力欄５１と編集範囲選択欄５２とが形成されている。また、ソフトボタンである追加ボタン５３が配置されている。初期画面として、文字入力欄５１は空欄である。編集範囲選択欄５２には、予め設定された編集範囲特定項目（例えば、「が行の最後にある」「が行の先頭にある」「を含む行」「を含む下１行」等）のリストが表示される。
【００２７】
この状態で、ＣＰＵ１は、ログ情報に含まれる文字が入力されるか（ＳＴ３２）、編集範囲特定項目が選択されるか（ＳＴ３３）、追加ボタン５３が入力されるか（ＳＴ３４）、編集文字追加ウィンドゥ５０のクローズが指令されるのを待機する（ＳＴ３５）。ここで、キーボード７の操作により文字（１文字以上）が入力された場合には、ＣＰＵ１は、この入力文字を文字入力欄５１に表示させる（ＳＴ３６）。そして、次の入力を待機する。
【００２８】
マウス１１の操作により編集範囲特定項目のなかのいずれか１項目が選択された場合には、ＣＰＵ１は、その選択された項目を特殊表示、例えば白黒反転表示させる（ＳＴ３７）。そして、次の入力を待機する。
【００２９】
追加ボタン５３が入力された場合には、ＣＰＵ１は、文字入力欄５１に文字が入力済か否か（ＳＴ３８）、及び編集範囲特定項目が選択済であるか否か（ＳＴ３９）を判断する。そして、文字入力済でない、または編集範囲特定項目が選択されていない場合には、追加ボタン５３の入力を無視する。
【００３０】
文字入力済かつ編集範囲特定項目選択済の場合には、ＣＰＵ１は、その入力された文字と選択された編集範囲特定項目とから編集文字データを作成する（ＳＴ４０）。そして、この編集文字データをログ整形設定ウィンドゥ４０の編集文字表示欄４１に追加表示したならば（ＳＴ４１）、次の入力を待機する。
【００３１】
編集文字追加ウィンドゥ５０のクローズが指令された場合には、ＣＰＵ１は、編集文字追加ウィンドゥ５０を閉じる（ＳＴ４２）。そして、この編集文字追加処理を終了するものとなっている。
【００３２】
ＣＰＵ１は、編集文字追加処理を終了すると、再びログ整形設定ウィンドゥ４０の各種ソフトボタン４４〜４７が入力されるか（ＳＴ１３〜ＳＴ１６）、ログ整形設定ウィンドゥ４０のクローズが指令されるのを待機する（ＳＴ１７）。ここで、削除ボタン４５が入力された場合には、ＣＰＵ１は、図５の流れ図に具体的に示す選択項目削除処理を実行する。すなわちＣＰＵ１は、編集文字表示欄４１に表示されている編集文字リストの中の１項目が選択されているか（ＳＴ５１）、あるいは設定内容表示欄４３に表示されている設定内容リストの中の１項目が選択されているかを判断する（ＳＴ５２）。ここで、いずれの項目も選択されていない場合には、削除ボタン４５の入力を無視する。
【００３３】
これに対し、編集文字リストの中の１項目が選択されていた場合には、ＣＰＵ１は、編集文字表示欄４１からその選択されている項目の編集文字データを削除する（ＳＴ５３）。また、設定内容リストの中の１項目が選択されていた場合には、設定内容表示欄４３からその選択されている項目の設定内容データを削除する（ＳＴ５４）。そして、この編集項目削除処理を終了するものとなっている。
【００３４】
ＣＰＵ１は、編集項目削除処理を終了すると、再びログ整形設定ウィンドゥ４０の各種ソフトボタン４４〜４７が入力されるか（ＳＴ１３〜ＳＴ１６）、ログ整形設定ウィンドゥ４０のクローズが指令されるのを待機する（ＳＴ１７）。ここで、登録ボタン４６が入力された場合には、ＣＰＵ１は、図６の流れ図に具体的に示す設定内容登録処理を実行する。すなわちＣＰＵ１は、編集文字表示欄４１に表示されている編集文字リストの中の１項目が選択されているか否かを判断する（ＳＴ６１）。ここで、選択されていない場合には、登録ボタン４６の入力を無視する。
【００３５】
編集文字リストの中のいずれか１項目が選択されていた場合には、ＣＰＵ１は、その選択されている項目の編集文字データと編集内容表示欄４２に表示されている編集内容データとから設定内容データを作成する（ＳＴ６２）。そして、この設定内容データの項目を設定内容表示欄４３に追加表示させたならば（ＳＴ６３）、この設定内容登録処理を終了するものとなっている。
【００３６】
ここに、当該コンピュータ端末は、表示ログ整形プログラム３３の編集文字追加処理，選択項目削除処理及び設定内容登録処理によって、ログ編集情報設定手段を構成しているなお、編集文字追加処理及び選択項目削除処理の少なくとも一方を省略して、ログ編集情報設定手段を構成してもよい。
【００３７】
ＣＰＵ１は、設定内容登録処理を終了すると、再びログ整形設定ウィンドゥ４０の各種ソフトボタン４４〜４７が入力されるか（ＳＴ１３〜ＳＴ１６）、ログ整形設定ウィンドゥ４０のクローズが指令されるのを待機する（ＳＴ１７）。ここで、書換ボタン４７が入力された場合には、ＣＰＵ１は、設定内容表示欄４３に設定内容データの項目が表示されているか否かを判断する（ＳＴ１８）。ここで、設定内容表示欄４３に設定内容データの項目が１つも表示されていない場合には、書換ボタン４７の入力を無視する。
【００３８】
設定内容表示欄４３に設定内容データの項目が表示されていた場合には、ＣＰＵ１は、その設定内容データの項目に従い、ログ表示プログラム３２の動作によってディスプレイ９に表示されているログ情報の整形を行う（ＳＴ１９）。
【００３９】
具体的には、先ず、設定内容表示欄４３に表示されている設定内容データから先頭の１項目を取得する。そして、この取得した項目の設定内容データから編集文字，編集範囲及び編集内容を認識したならば、ディスプレイ９に表示されているログ情報の中から編集文字が含まれるログ情報を編集範囲に相当する量だけ抽出する。そして、この抽出したログ情報を編集内容に従って編集する。次に、設定内容表示欄４３に表示されている設定内容データから次の１項目を取得する。そして、上記と同様に処理する。こうして、設定内容表示欄４３に表示されている全ての設定内容データについて同様に処理したならば、ＣＰＵ１は、表示ログ情報の整形を終了する。そして、整形後の表示ログ情報をログ表示プログラム３２に提供する（ＳＴ２０）。
【００４０】
しかる後、ＣＰＵ１は、ログ整形設定ウィンドゥ４０の編集文字表示欄４１に表示されている編集文字データを前記編集文字メモリに上書き保存したならば（ＳＴ２１）、ログ整形設定ウィンドゥ４０を閉じる（ＳＴ２２）。これにより、表示ログ整形プログラム３３は終了する。
【００４１】
ここに、当該コンピュータ端末は、表示ログ整形プログラム３３のＳＴ１９，ＳＴ２０の処理によって、表示ログ情報編集手段を構成している。
【００４２】
因みに、ＣＰＵ１は、前述したように、ログ表示プログラム３２が動作中において、表示ログ整形プログラム３３から整形後の表示ログ情報を受取った場合には、ログビューワウィンドゥの内容を整形後の表示ログ情報に更新するものとなっている（ＳＴ５）。ここに、当該コンピュータ端末は、ログ表示プログラム３２のＳＴ５の処理によって、ログ表示変更手段を構成している。
【００４３】
なお、表示ログ整形プログラム３３が動作中において、書換ボタン４７が入力される前にログ整形設定ウィンドゥ４０のクローズが指令された場合には、ＣＰＵ１は、編集文字表示欄４１の編集文字データを編集文字メモリに上書き保存した後（ＳＴ２１）、ログ整形設定ウィンドゥ４０を閉じて（ＳＴ２２）、表示ログ整形プログラム３３を終了させるものとなっている。
【００４４】
このように構成された本実施の形態のコンピュータ端末においては、ログファイル２１に保存されているログ情報を参照したい場合、ユーザはログ表示プログラム３２の起動を指令する。すると、図９に示すように、ディスプレイ９にログビューワウィンドゥ６０が開かれ、ウィンドゥ６０内に、ログファイル２１に保存されているログ情報が一括して表示される。
【００４５】
ここで、表示されているログ情報を所望する形態に整形したい場合、ユーザは表示ログ整形プログラム３３の起動を指令する。すると、図１０に示すように、ログ整形設定ウィンドゥ４０が新たに開かれる。このとき、以前に作成した編集文字データが編集文字メモリに保存されていた場合には、編集文字表示欄４１にその編集文字データの項目が一覧表示される。設定内容表示欄４３は空欄になっている。
【００４６】
今、“ＥＲＲ”を含む１行のログ情報と、“操作”を含む１行のログ情報を残し、“ＭＲＭ”を含む１行のログ情報をスペース化するように整形したいと考えた場合、編集文字データ「“ＥＲＲ”を含む１行」と「“操作”を含む１行」と「“ＭＲＭ”を含む１行」は既に編集文字表示欄４１に表示されているので、ユーザは、編集文字データ「“ＥＲＲ”を含む１行」と編集内容データ「残す」とを選択して登録ボタン４６を入力する操作と、編集文字データ「“操作”を含む１行」と編集内容データ「残す」とを選択して登録ボタン４６を入力する操作と、編集文字データ「“ＭＲＭ”を含む１行」と編集内容データ「スペース化」とを選択して登録ボタン４６を入力する操作とを順次実行する。すると、ログ整形設定ウィンドゥ４０の設定内容表示欄４３には、図１０に示す項目が表示される。
【００４７】
ここで、さらに、ログ情報に含まれる文字“ｐｒｏｇ．ｌｏｇ”を全て消去したいと考えたとする。この場合、文字“ｐｒｏｇ．ｌｏｇ”は、編集文字データの項目に存在しないので、ユーザは、先ず、ログ整形設定ウィンドゥ４０の追加ボタン４４を入力する。すると、図１１に示すように、編集文字追加ウィンドゥ５０が新たに開かれるので、ユーザは、文字“ｐｒｏｇ．ｌｏｇ”を入力し、編集内容「文字」を選択して追加ボタン５３を入力する。すると、図１２に示すように、ログ整形設定ウィンドゥ４０の編集文字表示欄４１に編集文字データの項目「文字“ｐｒｏｇ．ｌｏｇ”」が追加されるので、ユーザは、編集文字追加ウィンドゥ５０のクローズを指令する。
【００４８】
次いで、ユーザは、ログ整形設定ウィンドゥ４０の編集文字表示欄４１から項目「文字“ｐｒｏｇ．ｌｏｇ”」を選択し、さらに、編集内容表示欄４２から項目「スペース化」を選択して、登録ボタン４６を入力する。すると、同図に示すように、設定内容表示欄４３に設定内容データの項目「文字“ｐｒｏｇ．ｌｏｇ”：スペース化」が追加表示される。
【００４９】
以上で、ログ情報に含まれる文字と当該文字を含むログ情報に対する編集内容との設定作業を終了したならば、ユーザは書換ボタン４７を入力する。すると、ログ整形設定ウィンドゥ４０が閉じられる。そして、ログビューワウィンドゥ６０に表示されているログ情報の中から、文字“ＥＲＲ”を含む１行と、文字“操作”を含む１行が残され、文字“ＮＲＭ”を含む１行がスペース化される。また、文字“ｐｒｏｇ．ｌｏｇ”も全てスペース化されて、ログビューワウィンドゥ６０の内容が図１３に示す状態に更新される。
【００５０】
このように本実施の形態によれば、コンピュータ端末のログファイル２１に保存されたログ情報をディスプレイ９で確認した後、ユーザが所望する形態に整形して表示させることができる。したがって、汎用性に富んだログ情報の解析が可能となる。
【００５１】
なお、前記実施の形態では、本発明に係わる表示ログ整形装置をコンピュータ端末に搭載した場合を示したが、コンピュータ端末の上位機種であるサーバに本発明を適用することも可能である。
【図面の簡単な説明】
【００５２】
【図１】本発明の一実施の形態であるコンピュータ端末の要部構成を示すブロック図。
【図２】同実施の形態のコンピュータ端末が有するログ表示プログラムの主要な処理手順を示す流れ図。
【図３】同実施の形態のコンピュータ端末が有する表示ログ整形プログラムの主要な処理手順を示す流れ図。
【図４】図３における編集文字追加処理の内容を具体的に示す流れ図。
【図５】図３における選択項目削除処理の内容を具体的に示す流れ図。
【図６】図３における設定内容登録処理の内容を具体的に示す流れ図。
【図７】本実施の形態において表示出力されるログ整形設定ウィンドゥの一例を示す模式図。
【図８】本実施の形態において表示出力される編集文字追加ウィンドゥの一例を示す模式図。
【図９】本実施の形態の具体的動作説明に用いるログビューワウィンドゥのログ情報整形前の表示例を示す模式図。
【図１０】同具体的動作説明に用いるログ整形設定ウィンドゥの表示例を示す模式図。
【図１１】同具体的動作説明に用いる編集文字追加ウィンドゥの表示例を示す模式図。
【図１２】同具体的動作説明に用いるログ整形設定ウィンドゥの編集文字データ追加後の表示例を示す模式図。
【図１３】本実施の形態の具体的動作説明に用いるログビューワウィンドゥのログ情報整形後の表示例を示す模式図。
【符号の説明】
【００５３】
１…ＣＰＵ、２…ＲＯＭ、３…ＲＡＭ、７…キーボード、９…ディスプレイ、１１…マウス、２１…ログファイル、２２…プログラムファイル、３１…ログ保存プログラム、３２…ログ表示プログラム、３３…表示ログ整形プログラム、４０…ログ整形設定ウィンドゥ。５０…編集文字追加ウィンドゥ、６０…ログビューワウィンドゥ。
【図１】
2005165456.tif 000003
【図２】
2005165456.tif 000004
【図３】
2005165456.tif 000005
【図４】
2005165456.tif 000006
【図５】
2005165456.tif 000007
【図６】
2005165456.tif 000008
【図７】
2005165456.tif 000009
【図８】
2005165456.tif 000010
【図９】
2005165456.tif 000011
【図１０】
2005165456.tif 000012
【図１１】
2005165456.tif 000013
【図１２】
2005165456.tif 000014
【図１３】
2005165456.tif 000015